(57)【要約】【課題】金属箔と活物質の密着性を良好に維持して出力の低下を抑制しつつ、出力に対して寄与が低い活物質の塗布量を抑制すること。【解決手段】電極組立体を構成する複数の負極電極２０のうち、積層方向の最外層に位置する負極電極２０の面２５ｂには、負極活物質層２６を塗布してなる塗工部と、負極活物質層２６を塗布していない未塗工部を交互に複数設ける。これらの塗工部と未塗工部は、負極電極２０の幅方向Ｙに延出されている。【選択図】図２
2014102897.tif 000002
【特許請求の範囲】
【請求項１】
金属箔の両面に活物質の塗工部を有する第１電極と前記第１電極とは異なる極性の第２電極との間を絶縁してこれらを積層して層状をなす電極組立体をケースに収容した蓄電装置において、
前記第１電極、もしくは前記第２電極のうち、前記電極組立体の積層方向の最外層に位置する最外層電極の積層方向の外側の面である外面のいずれか一方には、前記最外層電極の一端から他端までの全長に亘る前記塗工部と未塗工部とを交互に複数有することを特徴とする蓄電装置。
【請求項２】
前記塗工部と前記未塗工部は、前記最外層電極の縁に平行している請求項１に記載の蓄電装置。
【請求項３】
前記塗工部と前記未塗工部は、前記最外層電極の幅方向に平行している請求項１又は請求項２に記載の蓄電装置。
【請求項４】
前記最外層電極の外面の塗工部と、
前記最外層電極における前記外面とは反対側の内面の塗工部と、を有し、
前記外面の塗工部と前記内面の塗工部とは、同一の厚みである請求項１〜請求項３のうち何れか一項に記載の蓄電装置。
【請求項５】
前記蓄電装置は、二次電池である請求項１〜請求項４のうち何れか一項に記載の蓄電装置。
【請求項６】
金属箔の両面に活物質の塗工部を有する第１電極と前記第１電極とは異なる極性の第２電極との間を絶縁してこれらを積層して層状をなす電極組立体を有する蓄電装置の製造方法において、
前記金属箔の両面に活物質を塗布する塗布工程と、
前記塗布工程で前記金属箔の両面に活物質を塗布した後、前記金属箔の両面に塗布された活物質にロール部材を押し当てて押圧するプレス工程と、を備え、
前記塗布工程において前記電極組立体の最外層に位置する最外層電極の積層方向の外側の面である外面に前記活物質を塗布する場合には、前記塗工部と未塗工部を交互に形成する間欠塗工を行うことを特徴とする蓄電装置の製造方法。
【発明の詳細な説明】
【技術分野】
【０００１】
本発明は、電極組立体を有する蓄電装置、及び電極組立体を有する蓄電装置の製造方法に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。この種の二次電池は、例えば、特許文献１に開示されている。二次電池は、金属箔に負極活物質を塗布した負極電極と金属箔に正極活物質を塗布した正極電極との間をセパレータで絶縁し、これらを積層して層状とした電極組立体を有する。そして、電極組立体は、二次電池のケース内に電解液とともに収容される。
【先行技術文献】
【特許文献】
【０００３】
【特許文献１】特開平９−１２０８３６号公報
【発明の概要】
【発明が解決しようとする課題】
【０００４】
各電極を製造する際には、金属箔に活物質を塗布した後、金属箔と活物質の粒子との密着を良好にするためにプレスを行う。しかしながら、片面のみに活物質を塗布してプレスを行う場合には、加圧した側の金属箔と加圧していない側の金属箔で伸び量に差が生じ得るため、その差が金属箔のシワとなって発生してしまう。金属箔にシワが発生すると、金属箔と活物質の密着性が低下し、電池の出力低下に繋がる虞がある。このため、電極を製造する際には、金属箔の両面に活物質を塗布し、その後にプレスが行われている。
【０００５】
ところで、二次電池の電極組立体は、正極活物質と負極活物質を対向させるように正極電極と負極電極を積層させる。このため、両面塗工した電極を用いて電極組立体を作製する場合、その電極組立体の最外層に位置する電極の片面側は対向する異極の活物質層が存在せず、その活物質層は電池出力に対する寄与の割合が低く、活物質の塗布量を増加させているに過ぎない。
【０００６】
この発明は、このような従来の技術に存在する問題点に着目してなされたものであり、その目的は、金属箔と活物質の密着性を良好に維持して出力の低下を抑制しつつ、出力に対する寄与が低い活物質の塗布量を抑制した蓄電装置、及び蓄電装置の製造方法を提供することにある。
【課題を解決するための手段】
【０００７】
上記課題を解決する蓄電装置は、金属箔の両面に活物質の塗工部を有する第１電極と前記第１電極とは異なる極性の第２電極との間を絶縁してこれらを積層して層状をなす電極組立体をケースに収容した蓄電装置において、前記第１電極、もしくは前記第２電極のうち、前記電極組立体の積層方向の最外層に位置する最外層電極の積層方向の外側の面である外面のいずれか一方には、前記最外層電極の一端から他端までの全長に亘る前記塗工部と未塗工部とを交互に複数有する。
【０００８】
この構成によれば、電極組立体の最外層に位置する最外層電極の外面には対向する異極の活物質が存在しない。このため、前記外面に塗工部と未塗工部を交互に複数有するように最外層電極を構成することで、活物質の塗布量を抑制することができる。そして、塗工部と未塗工部を交互に複数有するように最外層電極を構成した場合であっても、最外層電極の両面には活物質層が存在する。このため、最外層電極を製造する際のプレス時には、当該最外層電極の金属箔の伸び量の均一化を図ることができ、その金属箔にシワが発生することを抑制することができる。したがって、金属箔と活物質の密着性を維持でき、蓄電装置の出力の低下を抑制することができる。
【０００９】
また、上記蓄電装置において、前記塗工部と前記未塗工部は、前記最外層電極の縁に平行していることが好ましい。
また、上記蓄電装置において、前記塗工部と前記未塗工部は、前記最外層電極の幅方向に平行していることが好ましい。
【００１０】
また、上記蓄電装置において、前記最外層電極の外面の塗工部と、前記最外層電極における前記外面とは反対側の内面の塗工部と、を有し、前記外面の塗工部と前記内面の塗工部とは、同一の厚みであることが好ましい。この構成によれば、最外層電極を製造する際のプレス時には、金属箔の両面に対して均一に押圧力を付与することができる。したがって、金属箔のシワの発生がより好適に抑制され、蓄電装置の出力の低下をより好適に抑制することができる。
【００１１】
また、上記蓄電装置において、前記蓄電装置の好適な例としては、二次電池を挙げることができる。
上記課題を解決する蓄電装置の製造方法は、金属箔の両面に活物質の塗工部を有する第１電極と前記第１電極とは異なる極性の第２電極との間を絶縁してこれらを積層して層状をなす電極組立体を有する蓄電装置の製造方法において、前記金属箔の両面に活物質を塗布する塗布工程と、前記塗布工程で前記金属箔の両面に活物質を塗布した後、前記金属箔の両面に塗布された活物質にロール部材を押し当てて押圧するプレス工程と、を備え、前記塗布工程において前記電極組立体の最外層に位置する最外層電極の積層方向の外側の面である外面に前記活物質を塗布する場合には、前記塗工部と未塗工部を交互に形成する間欠塗工を行う。
【００１２】
この構成によれば、電極組立体の最外層に位置する最外層電極の外面には、塗工部と未塗工部が交互に形成される。このため、活物質の塗布量を抑制することができる。したがって、蓄電装置の出力に対する寄与が低い活物質の塗布量を抑制することができる。そして、塗工部と未塗工部を交互に形成した場合であっても、最外層電極の両面には活物質層が存在する。このため、最外層電極を製造する際のプレス時には、当該最外層電極の金属箔の伸び量の均一化を図ることができ、その金属箔にシワが発生することを抑制することができる。したがって、金属箔と活物質の密着性を維持し得る最外層電極を製造することができ、その結果、蓄電装置の出力の低下を抑制することができる。
【発明の効果】
【００１３】
本発明によれば、金属箔と活物質の密着性を良好に維持して出力の低下を抑制しつつ、出力に対する寄与が低い活物質の塗布量を抑制することができる。
【図面の簡単な説明】
【００１４】
【図１】二次電池の外観を示す斜視図。
【図２】電極組立体の構成要素を示す分解斜視図。
【図３】（ａ）は電極組立体を構成する負極電極を示す正面図、（ｂ）は（ａ）の１−１線断面図。
【図４】（ａ）は電極組立体を構成する負極電極のうち最外層に配置される負極電極の一方の面を示す正面図、（ｂ）は（ａ）の負極電極の他方の面を示す正面図、（ｃ）は（ａ）の２−２線断面図。
【図５】ケースに収容した電極組立体の一部を示す断面図。
【図６】負極電極の製造工程を示すフローチャート。
【図７】負極電極を製造するために活物質を塗布した負極金属箔を示す平面図。
【図８】負極電極の塗工部の間隔を説明する説明図。
【図９】別例の負極電極を示す正面図。
【図１０】別例の負極電極を示す正面図。
【発明を実施するための形態】
【００１５】
以下、蓄電装置を具体化した実施形態を図１〜図８にしたがって説明する。
図１に示すように、蓄電装置としての二次電池１０は、ケース１１に電極組立体１２が収容されている。また、ケース１１には、電極組立体１２とともに電解液も充填されている。ケース１１は、有底筒状のケース本体１３と、当該ケース本体１３に電極組立体１２を挿入する開口部を閉塞する平板状の蓋体１４とからなる。ケース本体１３と蓋体１４は、何れも金属製（例えば、ステンレスやアルミニウム）である。また、本実施形態の二次電池１０は、ケース本体１３が有底四角筒状であり、蓋体１４が矩形平板状であることから、その外観が角型をなす角型電池である。また、本実施形態の二次電池１０は、リチウムイオン電池である。
【００１６】
電極組立体１２には、正極端子１５と負極端子１６が電気的に接続されている。そして、正極端子１５及び負極端子１６には、ケース１１から絶縁するためのリング状の絶縁リング１７ａがそれぞれ取り付けられている。また、正極端子１５と負極端子１６は、蓋体１４からケース１１外に露出している。
【００１７】
図２に示すように、電極組立体１２は、シート状の第１電極としての正極電極１９と、シート状の第２電極としての負極電極２０と、正極電極１９及び負極電極２０を絶縁するセパレータ２１と、を有する。そして、電極組立体１２は、複数の正極電極１９と複数の負極電極２０を交互に積層するとともに、両電極１９，２０の間にセパレータ２１を介在した積層構造とされている。また、この実施形態において電極組立体１２は、その最外層に負極電極２０が配置されており、最外層となる２つの負極電極２０の間に、正極電極１９と負極電極２０とが交互に配置されている。
【００１８】
正極電極１９は、正極金属箔（実施形態ではアルミニウム箔）２２の表裏の両面２２ａ，２２ｂのそれぞれに正極活物質からなる正極活物質層２３を有する。また、正極電極１９において正極活物質層２３を有する面２２ａ，２２ｂは４辺からなる矩形状であり、その矩形状の面全体に正極活物質が塗布されている。また、正極電極１９における矩形状の面の４辺のうち１辺に対応する部位には正極金属箔２２からなる正極集電タブ２４が突出するように設けられている。正極集電タブ２４は、正極端子１５に電気的に接続される。また、電極組立体１２を構成する各正極電極１９には、同位置に同一形状の正極集電タブ２４が設けられている。
【００１９】
また、正極電極１９では、正極集電タブ２４が設けられた辺とその対辺の対向方向を高さ方向Ｘとし、上記２辺に隣接する２辺の対向方向であって、高さ方向Ｘに直交する方向を幅方向Ｙとする。そして、正極電極１９では、正極活物質層２３を有する面２２ａ，２２ｂの全体が塗工部となり、正極活物質が塗布されていない面が未塗工部となる。この実施形態の正極電極１９では、正極集電タブ２４となる正極金属箔２２の面に正極活物質が塗布されておらず、未塗工部となる。
【００２０】
負極電極２０は、負極金属箔（実施形態では銅箔）２５の表裏の両面２５ａ，２５ｂのそれぞれに負極活物質からなる負極活物質層２６を有する。また、負極電極２０において負極活物質層２６を有する面２５ａ，２５ｂは４辺からなる矩形状であり、その矩形状の面に負極活物質が塗布されている。また、負極電極２０における矩形状の面の４辺のうち１辺に対応する部位には負極金属箔２５からなる負極集電タブ２７が突出するように設けられている。負極集電タブ２７は、負極端子１６に電気的に接続される。また、電極組立体１２を構成する各負極電極２０には、同位置に同一形状の負極集電タブ２７が設けられている。
【００２１】
また、負極電極２０では、負極集電タブ２７が設けられた辺とその対辺の対向方向を高さ方向Ｘとし、上記２辺に隣接する２辺の対向方向であって、高さ方向Ｘに直交する方向を幅方向Ｙとする。そして、本実施形態の負極電極２０には、電極組立体１２において最外層に配置される最外層電極としての外層負極電極２０Ａと、外層負極電極２０Ａよりも内側に配置される内層負極電極２０Ｂと、がある。
【００２２】
図２及び図３（ａ），（ｂ）に示すように、内層負極電極２０Ｂの両面２５ａ，２５ｂには、矩形状の面全体に負極活物質が塗布されている。このため、内層負極電極２０Ｂでは、負極活物質層２６を有する面２５ａ，２５ｂの全体が塗工部となり、負極活物質が塗布されていない面が未塗工部となる。この実施形態の内層負極電極２０Ｂでは、負極集電タブ２７となる負極金属箔２５の面に負極活物質が塗布されておらず、未塗工部となる。
【００２３】
また、図２及び図４（ａ），（ｃ）に示すように、外層負極電極２０Ａの一方の面２５ａには、矩形状の面全体に負極活物質が塗布されている。このため、外層負極電極２０Ａの一方の面２５ａでは、負極活物質層２６を有する面２５ａの全体が塗工部となり、負極活物質が塗布されていない面が未塗工部となる。この実施形態の外層負極電極２０Ａの一方の面２５ａ側では、負極集電タブ２７となる負極金属箔２５の面に負極活物質が塗布されておらず、未塗工部となる。
【００２４】
一方、図２及び図４（ｂ），（ｃ）に示すように、外層負極電極２０Ａの他方の面２５ｂには、矩形状の面の一部に負極活物質が塗布されており、その一部の面を除く面上には負極活物質が塗布されていない。具体的に言えば、他方の面２５ｂには、外層負極電極２０Ａの幅方向Ｙの一端から他端まで、全長に亘る帯状の負極活物質層２６が、高さ方向Ｘに沿って所定の間隔Ｚを隔てて配置されている。このため、外層負極電極２０Ａの他方の面２５ｂでは、負極活物質層２６を有する面２５ｂの一部が塗工部となり、隣り合う負極活物質層２６の間は未塗工部となる。つまり、他方の面２５ｂでは、複数の塗工部と複数の未塗工部を有し、これらの塗工部と未塗工部が高さ方向Ｘに沿って交互に位置している。これにより、外層負極電極２０Ａの他方の面２５ｂでは、負極活物質層２６が横縞模様となる。また、外層負極電極２０Ａでは、負極活物質が塗布されていない面が未塗工部となる。この実施形態において外層負極電極２０Ａの塗工部と未塗工部は、外層負極電極２０Ａの幅方向に延びる縁に平行している。また、この実施形態の外層負極電極２０Ａの他方の面２５ｂ側では、負極集電タブ２７となる負極金属箔２５の面に負極活物質が塗布されておらず、未塗工部となる。なお、外層負極電極２０Ａの両面２５ａ，２５ｂの負極活物質層２６は、同一厚みである。
【００２５】
図５に示すように、電極組立体１２は、その最外層に外層負極電極２０Ａが位置し、２つの外層負極電極２０Ａの間に正極電極１９と、内層負極電極２０Ｂと、セパレータ２１が積層方向Ｔに沿って交互に積層される。また、外層負極電極２０Ａは、他方の面２５ｂ側を電極組立体１２の積層方向の外側の面である外面とするように位置している。この実施形態において外層負極電極２０Ａの他方の面２５ｂは、電極組立体１２の積層方向Ｔの最外層に位置する電極の外面となる。一方、この実施形態において外層負極電極２０Ａの一方の面２５ａは、他方の面２５ｂとは反対側の内面となる。このように電極組立体１２を構成した場合、内層負極電極２０Ｂの両面２５ａ，２５ｂは、隣り合う正極電極１９の面２２ａ，２２ｂに対向し合う。一方、外層負極電極２０Ａは、一方の面２５ａが隣り合う正極電極１９の面２２ａ，２２ｂに対向し合うが、他方の面２５ｂは正極電極１９の何れの面２２ａ，２２ｂとも対向しない。
【００２６】
このような電極組立体１２をケース本体１３に収容した場合は、外層負極電極２０Ａが、ケース本体１３を構成する側壁のうち積層方向Ｔで対向する側壁１３ａとそれぞれ対向する。そして、外層負極電極２０Ａの他方の面２５ｂは、ケース本体１３の側壁１３ａに面する。なお、図５に示すように、電極組立体１２とケース本体１３の間には、電極組立体１２とケース本体１３を絶縁する絶縁フィルム２９が介在されている。
【００２７】
次に、負極電極２０の製造方法を説明する。
図６及び図７に示すように、負極電極２０を製造する際には、まず、帯状の負極金属箔２５の表裏両面に負極活物質を塗布する。負極活物質は、最初に負極金属箔２５の表面側に塗布し、その乾燥後に裏面側に塗布する。これらの塗布工程Ｓ１，Ｓ２では、図７に示すように、内層負極電極２０Ｂの塗工時には当該電極の高さ方向Ｘに沿う方向に負極活物質を連続的に塗布する。一方で、外層負極電極２０Ａにおいて当該電極の面２５ａの塗工時には当該電極の高さ方向Ｘに沿う方向に負極活物質を連続的に塗布し、面２５ｂの塗工時には当該電極の高さ方向Ｘに沿う方向に負極活物質を間欠的に塗布する。このような塗布工程Ｓ１，Ｓ２により、外層負極電極２０Ａの面２５ｂには、塗工部と未塗工部が交互に形成される。
【００２８】
次に、図６に示すように、塗布工程Ｓ１，Ｓ２で塗布された負極活物質の乾燥後に、負極金属箔２５と負極活物質の粒子との密着を良好にするため、プレス工程Ｓ３を行う。この実施形態においてプレス工程Ｓ３では、一対のロール部材を有するロールプレス機でプレスを行う。プレス工程Ｓ３の後は、図６に示すように、負極電極２０のサイズに合わせて帯状の負極金属箔２５を打ち抜くことで、負極電極２０が完成する。図７の一点鎖線は、負極電極２０の打ち抜き線である。
【００２９】
なお、外層負極電極２０Ａをプレスする際には、ロール部材３０が直接、負極金属箔２５に押圧力を付与しないことが望ましい。このため、外層負極電極２０Ａの他方の面２５ｂを間欠的に塗布する場合の塗工間隔は、以下のように設定することが望ましい。つまり、塗工間隔は、外層負極電極２０Ａのプレス時にロール部材３０が常に塗工部に当接し得るようにする。
【００３０】
図８に示すように、ロール部材３０が常に塗工部（負極活物質層２６）に当接し得る間隔は、以下の関係式（１）によって算出することができる。
Ａ２＝Ｗ２＋（Ａ−Ｂ）２    …（１）
「Ａ」は、ロール部材３０の中心点Ｐ１と、ロール部材３０と塗工部の当接点Ｐ２を結ぶ直線Ｌ１の長さであり、ロール部材３０の半径に相当する。「Ｂ」は、活物質層を塗布する時の塗膜の厚みである。また、図８に示す点Ｐ３は、中心点Ｐ１を通り、負極金属箔２５に向けて延びる垂線Ｌ２と、当接点Ｐ２を通り、垂線Ｌ２に向けて延びる垂線Ｌ３との交点である。これにより、上記式（１）によれば、当接点Ｐ２と点Ｐ３とを結ぶ線分の長さＷを算出することができる。そして、この長さＷを２倍した長さ２Ｗは、ロール部材３０が塗工部（負極活物質層２６）に当接し得る最大の間隔となるので、この長さ２Ｗ以下の長さを塗工の間隔Ｚとすることでロール部材３０を常に塗工部に当接させることができる。
【００３１】
以下、本実施形態の作用を説明する。
電極組立体１２の最外層に位置する外層負極電極２０Ａの面２５ｂは、正極電極１９の正極活物質層２３と対向しない面である。このため、外層負極電極２０Ａの面２５ｂの負極活物質層２６は、電池出力に対する寄与が低い活物質の層であると言える。したがって、外層負極電極２０Ａの面２５ｂには、間隔を隔てて負極活物質層２６を設けることで、活物質の塗布量が減少される。
【００３２】
また、外層負極電極２０Ａを製造する場合には、面２５ｂにも間欠的に活物質を塗布して塗工部を設けることで、プレスを行うロール部材３０が負極金属箔２５に対して直接的に押圧力を付与しない。つまり、ロール部材３０は、面２５ａと面２５ｂのそれぞれの塗工部に当接し、それぞれの塗工部を介して負極金属箔２５に押圧力を付与する。このため、プレス時において負極金属箔２５の伸び量の均一化が図られる。
【００３３】
したがって、本実施形態によれば、以下に示す効果を得ることができる。
（１）外層負極電極２０Ａの面２５ｂには、間隔を隔てて負極活物質層２６を設けている。このため、面２５ｂに対する負極活物質の塗布量を抑制することができる。したがって、電池出力に対する寄与が低い面２５ｂへの負極活物質の塗布量を抑えることで、二次電池１０の製造コストを抑えることができる。
【００３４】
（２）また、外層負極電極２０Ａを製造する際のプレス時には、外層負極電極２０Ａの伸び量の均一化を図れることで、負極金属箔２５にシワが発生することを抑制することができる。その結果、負極金属箔２５と負極活物質層２６の密着性を維持でき、電池出力の低下を抑制することができる。
【００３５】
（３）また、外層負極電極２０Ａの面２５ｂには、負極電極２０の幅方向の全長に亘って負極活物質層２６が設けられている。このため、外層負極電極２０Ａを製造する際のプレス時には、負極活物質を塗布した塗工部に対応する負極金属箔２５に均一に押圧力を付与することができる。したがって、負極金属箔２５のシワの発生をより好適に抑制することができる。
【００３６】
（４）外層負極電極２０Ａの両面２５ａ，２５ｂの負極活物質層２６を同一厚みとしている。このため、外層負極電極２０Ａを製造する際のプレス時には、負極金属箔２５の両面２５ａ，２５ｂに対して均一に押圧力を付与することができる。したがって、負極金属箔２５のシワの発生をより好適に抑制することができる。
【００３７】
（５）外層負極電極２０Ａの面２５ｂに負極活物質を間欠塗工するので、間隔を隔てて負極活物質層２６を形成する場合であっても、従前と同様の塗工装置を用いて負極活物質を塗布することができる。したがって、外層負極電極２０Ａのみに間隔を隔てて負極活物質層２６を設ける場合であっても、塗工装置などに大幅な改良を加える必要がなく、電極の製造コストを増加させることもない。その結果、二次電池１０の製造コストを抑えることができる。
【００３８】
（６）また、プレスを行うロールプレス機においても、外層負極電極２０Ａの両面２５ａ，２５ｂの負極活物質層２６を同一厚みとすることで、外層負極電極２０Ａと内層負極電極２０Ｂをプレスする場合にロール部材３０の間隔を変更する必要がない。したがって、プレス工程Ｓ３時において、外層負極電極２０Ａのプレス時と内層負極電極２０Ｂのプレス時にロール部材３０の間隔を調整するなどの工程が不要であり、製造工程を複雑化することもない。したがって、電極の製造コストを増加させることもない。
【００３９】
なお、上記実施形態は以下のように変更してもよい。
○  図９に示すように、外層負極電極２０Ａの他方の面２５ｂに負極活物質層２６を設けても良い。図９に示す外層負極電極２０Ａでは、負極活物質層２６を格子状に設けている。この場合の外層負極電極２０Ａの塗工部と未塗工部は、外層負極電極２０Ａの幅方向及び高さ方向にそれぞれ延びる縁に平行している。
【００４０】
○  図１０に示すように、外層負極電極２０Ａの他方の面２５ｂに負極活物質層２６を設けても良い。図１０に示す外層負極電極２０Ａでは、負極活物質層２６を斜状に設けている。この場合、複数の塗工部、及び複数の未塗工部が外層負極電極２０Ａの一端から他端まで設けられているが、全ての塗工部、及び全ての未塗工部が外層負極電極２０Ａの一端から他端まで設けられてはいない。
【００４１】
○  外層負極電極２０Ａの他方の面２５ｂに設ける負極活物質層２６のサイズ（幅や長さなど）を不均一としても良い。また、負極活物質層２６の間隔Ｚを不均一としても良い。なお、電極を製造する場合においては、塗工幅や塗工間隔が均一化されている方が好ましい。
【００４２】
○  また、外層負極電極２０Ａの他方の面２５ｂに対して負極活物質層２６を縦縞模様となるように設けても良い。この場合、負極活物質層２６は、外層負極電極２０Ａの高さ方向Ｘの全長に亘って設けられる。そして、外層負極電極２０Ａの塗工部と未塗工部は、外層負極電極２０Ａの高さ方向に延びる縁に平行している。
【００４３】
○  実施形態や図９及び図１０の別例は、積層型の電極組立体１２について具体化したが、間隔を隔てて負極活物質層２６を設ける構成は帯状の正極電極と帯状の負極電極を捲回して層状に積層した捲回型の二次電池に適用しても良い。具体的に言えば、捲回型の二次電池に適用する場合は、捲回軸を中心に電極を捲いた時の最外層に位置する負極電極の外面に対して間隔を隔てて負極活物質層２６を設ける。
【００４４】
○  間隔を隔てて負極活物質層２６を設ける方法としては、例えば、活物質を塗布する前に、金属箔の表面に対して未塗工部とする位置にテープなどを貼り付けておく。そして、テープを覆うようにして金属箔に活物質を塗布し、その後にテープを剥がす。これにより、テープに塗布された活物質は、テープを剥がす時に一緒に剥がされ、その位置は未塗工部となる。一方、テープを貼り付けていない箇所は塗工部となり、負極活物質層２６が間隔を隔てて設けられる。
【００４５】
○  実施形態において、正極電極１９や負極電極２０をセパレータ２１で包んだ袋状の電極としても良い。
○  実施形態において、正極電極１９、及び負極電極２０の形状は任意に変更しても良い。例えば、正面視長方形の電極としても良いし、正面視正方形の電極としても良い。
【００４６】
○  実施形態の二次電池１０は、リチウムイオン二次電池であったが、これに限らず、他の二次電池であっても良い。要は、正極活物質層と負極活物質層との間をイオンが移動するとともに電荷の授受を行うものであれば良い。
【００４７】
○  実施形態の二次電池１０は、車両電源装置として自動車に搭載しても良いし、産業用車両に搭載しても良い。また、定置用の蓄電装置に適用しても良い。
【符号の説明】
【００４８】
１０…二次電池、１１…ケース、１２…電極組立体、１９…正極電極、２０…負極電極、２０Ａ…外層負極電極、２０Ｂ…内層負極電極、２２…正極金属箔、２３…正極活物質層、２５…負極金属箔、２５ａ，２５ｂ…面、２６…負極活物質層、３０…ロール部材、Ｘ…高さ方向、Ｙ…幅方向、Ｔ…積層方向、Ｓ１，Ｓ２…塗布工程、Ｓ３…プレス工程。
【図１】
2014102897.tif 000003
【図２】
2014102897.tif 000004
【図３】
2014102897.tif 000005
【図４】
2014102897.tif 000006
【図５】
2014102897.tif 000007
【図６】
2014102897.tif 000008
【図７】
2014102897.tif 000009
【図８】
2014102897.tif 000010
【図９】
2014102897.tif 000011
【図１０】
2014102897.tif 000012